(57)【特許請求の範囲】
【請求項１】
構築する仮排水路の断面形状に倣った中空トンネル形に成形されたプレキャスト鉄筋コンクリート部材で、天端部に仮排水路セルの外側から排出管を接続可能な排出口が設けられ、また上部から下部にかけて内部埋立グラウトの導入路が設けられ、この導入路には仮排水路セルの外側から内部埋立グラウトの供給管を接続するための供給口が連通して設けられ、さらに内面には導入路にそれぞれ連通する吐出口が複数箇所に設けられた仮排水路セルを用い、仮排水路を設置する前のリフトの堤体コンクリート上に立ち上げた左右の支脚鋼材と、それらの上端に架渡した水平受け鋼材とからなる載置架台を、仮排水路の設置部に沿って所要数連設し、この載置架台上に仮排水路セルを順次前後の接合端面を接して連続的に載置支持し、前後に接合した仮排水路セル同士を相互に接合端面に相対して設けた継手部同士を締結金具により締結し、各仮排水路セルの排出口に排出管を接続すると共に、供給口に供給管を接続し、接合一体化された所要数の仮排水路セルの底面部周辺を残して所定高さに堤体コンクリートを打設した後、仮排水路セルの底面周辺部分に締め固め不要で流動性に優れた高流動性固結材を打設して仮排水路セルの底面下方の空隙に流動させて充填し、その後上層に順次堤体コンクリートを打設してこれに仮排水路セルを埋設することを特徴とするコンクリートダム提内仮排水路の構築工法。
【請求項２】
構築する仮排水路の断面形状に倣った中空トンネル形に成形されたプレキャスト鉄筋コンクリート部材で、天端部の内面にトンネル軸線方向に沿って排出溝が設けられ、その一端は排出ボックスに連通しており、この排出ボックスには仮排水路セルの外側から排出管を接続可能な排出口が連通して設けられ、また上部から下部にかけて両側部の内部に内部埋立グラウトの導入路が設けられ、左右の導入路の上端には仮排水路セルの外側から内部埋立グラウトの供給管を接続するための供給口が連通して設けられ、さらに内面には左右の導入路にそれぞれ連通する吐出口が複数箇所に設けられた仮排水路セルを用い、仮排水路を設置する前のリフトの堤体コンクリート上に立ち上げた左右の支脚鋼材と、それらの上端に架渡した水平受け鋼材とからなる前後２組の載置架台を、仮排水路の設置部に沿って所要数連設し、この載置架台上に仮排水路セルを順次前後の接合端面を接して連続的に載置支持し、前後に接合した仮排水路セル同士を相互に接合端面に相対して設けた継手部同士を締結金具により締結し、各仮排水路セルの排出口に排出管を接続すると共に、供給口に供給管を接続し、接合一体化された所要数の仮排水路セルの底面部周辺を残して所定高さに堤体コンクリートを打設した後、仮排水路セルの底面周辺部分に締め固め不要で流動性に優れた高流動性固結材を打設して仮排水路セルの底面下方の空隙に流動させて充填し、その後上層に順次堤体コンクリートを打設してこれに仮排水路セルを埋設することを特徴とするコンクリートダム提内仮排水路の構築工法。
【発明の詳細な説明】
【０００１】
【産業上の利用分野】
この発明は、コンクリートダムの堤体内に構築して堤体完成までの間に越流水を流下させ、堤体完成後は内部を埋め立てて封鎖するための仮排水路を構築する工法、特にプレキャスト部材を用いて構築する工法に関するものである。
【０００２】
【従来の技術】
従来のコンクリートダム提内仮排水路の施工法として、幌型や上部台形型等の仮排水路の形状に倣って鋼製あるいは合板で型枠を現場で組立て、その内側に支保工を設置すると共に、外側に鉄筋を配筋し、さらに堤体完成後の閉塞コンクリート工に使われるグラウトの配管、注入孔、排水溝を型枠に設置した後、コンクリートを打設し、コンクリート硬化後、型枠および支保工を解体・撤去することにより構築する方法が一般に採用されている。
【０００３】
【発明が解決しようとする課題】
上記従来の堤内仮排水路の構築工法では、型枠や支保工の組立て、あるいは鉄筋の組立てに一時的に型枠工や鉄筋工などの専門作業員を必要とするばかりではなく、多くの労働力を必要とするという問題がある。
【０００４】
また、グラウト配管の設置を必要とするため、型枠周辺での作業が輻輳するだけでなく、堤体を横継ぎ目によって分割して広範囲にコンクリートを打設するＲＣＤ工法や拡張レア工法などのレア工法においては提内仮排水路の構築作業のために堤体コンクリートの打設工程が延びることがあった。
【０００５】
さらにコンクリート打設後の型枠解体および撤去は、狭隘な空間で全て人力で行うため、苦渋作業であり、危険も伴う作業であった。
【０００６】
【課題を解決するための手段】
この発明は、前記従来の課題を解決するために、構築する仮排水路の断面形状に倣った中空トンネル形に成形されたプレキャスト鉄筋コンクリート部材で、天端部に仮排水路セル１の外側から排出管６を接続可能な排出口７が設けられ、また上部から下部にかけて内部埋立グラウトの導入路８が設けられ、この導入路８には仮排水路セル１の外側から内部埋立グラウトの供給管９を接続するための供給口１０が連通して設けられ、さらに内面には導入路８にそれぞれ連通する吐出口１１が複数箇所に設けられた仮排水路セル１を用い、仮排水路を設置する前のリフトの堤体コンクリート上に立ち上げた左右の支脚鋼材１４，１４と、それらの上端に架渡した水平受け鋼材１５とからなる載置架台１７を、仮排水路の設置部に沿って所要数連設し、この載置架台１７上に仮排水路セル１を順次前後の接合端面を接して連続的に載置支持し、前後に接合した仮排水路セル１，１同士を相互に接合端面に相対して設けた継手部２，２同士を締結金具１９により締結し、各仮排水路セル１の排出口７に排出管６を接続すると共に、供給口１０に供給管９を接続し、接合一体化された所要数の仮排水路セル１の底面部周辺を残して所定高さに堤体コンクリートを打設した後、仮排水路セル１の底面周辺部分に締め固め不要で流動性に優れた高流動性固結材２５を打設して仮排水路セル１の底面下方の空隙に流動させて充填し、その後上層に順次堤体コンクリートを打設してこれに仮排水路セル１を埋設するようにしたコンクリートダム提内仮排水路の構築工法を提案するものである。
【０００７】
またこの発明は、構築する仮排水路の断面形状に倣った中空トンネル形に成形されたプレキャスト鉄筋コンクリート部材で、天端部の内面にトンネル軸線方向に沿って排出溝４が設けられ、その一端は排出ボックス５に連通しており、この排出ボックス５には仮排水路セル１の外側から排出管６を接続可能な排出口７が連通して設けられ、また上部から下部にかけて両側部の内部に内部埋立グラウトＧの導入路８，８’が設けられ、左右の導入路８，８’の上端には仮排水路セル１の外側から内部埋立グラウトＧの供給管９，９’を接続するための供給口１０，１０’が連通して設けられ、さらに内面には左右の導入路８，８’にそれぞれ連通する吐出口１１，１１’が複数箇所に設けられた仮１４排水路セル１を用い、仮排水路を設置する前のリフトの堤体コンクリート１２上に立ち上げた左右の支脚鋼材１４，１４と、それらの上端に架渡した水平受け鋼材１５とからなる前後２組の載置架台１７を、仮排水路の設置部に沿って所要数連設し、この載置架台１７上に仮排水路セル１を順次前後の接合端面を接して連続的に載置支持し、前後に接合した仮排水路セル１，１同士を相互に接合端面に相対して設けた継手部２，２同士を締結金具１９により締結し、各仮排水路セル１の排出口７に排出管６を接続すると共に、供給口１０，１０’に供給管９，９’を接続し、接合一体化された所要数の仮排水路セル１の底面部周辺を残して所定高さに堤体コンクリートを打設した後、仮排水路セル１の底面周辺部分に締め固め不要で流動性に優れた高流動性固結材２５を打設して仮排水路セル１の底面下方の空隙に流動させて充填し、その後上層に順次堤体コンクリートを打設してこれに仮排水路セル１を埋設するようにしたコンクリートダム提内仮排水路の構築工法を提案するものである。
【０００８】
【作用】
仮排水路セル１はプレキャスト部材で、これを順次接合してその据えつけ精度の管理を行いながら設置すればよいため、型枠および支保工の組立、埋立グラウト用の配管作業およびコンクリート打設後の解体および撤去、型枠部材の移動運搬等の作業が不要となり、作業の安全を確保できると共に、構築の手間が少なくて労力も軽減でき、さらに高度な専門技能員も必要としないため、工期を短縮して工費を軽減することが可能となる。
【０００９】
仮排水路セル１は、プレキャスト部材として厳正な品質管理の実施されている工場で製造されるため、高品質で品質のばらつきが少ないものが得られ、施工管理が容易である。
【００１０】
仮排水路セル１の底版下に高流動コンクリートを打設するため、底版下に密実に打設でき、仮排水路セル１との付着一体性を確保できる。
【００１１】
仮排水路セル１に必要な鉄筋を組み込んでいるため、仮排水路セルと打設堤体コンクリートを継ぐための鉄筋の突出がなくなる。
【００１２】
堤体完成後、仮排水路内を埋立グラウトＧで埋め立てる際には、埋立グラウト圧送設備によりコンクリート等の埋立グラウトＧを供給管９，９’を介して導入路８，８’に圧送し、吐出口１１，１１’から仮排水路セル１群内に順次吐出させて充填することができる。
【００１３】
この埋立グラウトＧの充填の際、内部のエアーや仮排水路セル１の天端部に達した埋立グラウトＧの上部に溜まった水を、排出溝４および排出ボックス５に導入して排出管６から確実に排出することができる。
【００１４】
【実施例】
先ず、この発明の堤体仮排水路の施工に用いる仮排水路セル１について説明すると、仮排水路セル１は図３〜図６に示すように、構築する仮排水路の断面形状に倣った厚さ１５〜２０cm前後で前後長さ１〜数ｍ程度の中空トンネル形に成形されたプレキャスト鉄筋コンクリート部材で、その前後の接合端面には図３、図４に示すようにジョイントボックス等の継手部２が所要箇所に設置されている。
【００１５】
また、仮排水路セル１は、堤体コンクリートとの一体性を確保するために前後端部の外周にリブ３を形成し、このリブ３の部分にその前後の端面間を貫通するボルト挿通孔あるいはジョイントボックス等の継手部２を所要箇所に設置した形態としてもよい。
【００１６】
仮排水路セル１には図３および図４に示すように、その天端部の内面にトンネル軸線方向に沿って排出溝４が設けられ、その一端は排出ボックス５に連通し、他端は仮排水路セル１の接合端面に開放されており、この排出ボックス５には仮排水路セル１の外側から排出管６を接続する排出口７が設けられている。
【００１７】
さらに仮排水路セル１には、その上部から下部にかけて両側部の内部に内部埋立グラウトＧの導入路８，８’が設けられ、左右の導入路８，８’の上端には仮排水路セル１の外側から内部埋立グラウトＧの供給管９，９’を接続するための供給口１０，１０’が連通して設けられており、また仮排水路セル１の内面には左右の導入路８，８’にそれぞれ連通する吐出口１１，１１’が複数箇所に設けられている。
【００１８】
なお、埋立グラウトＧの導入路８は、必ずしも左右に別個に設ける必要はないが、複数別個に設けることにより多数の吐出口１１，１１’からの単位時間当たりのグラウト吐出量を増大し、かつ圧送圧力の減退を防止することができる。
【００１９】
次に、上記仮排水路セル１を用いて仮排水路を構築する施工方法について説明する。
【００２０】
図９〜図１３はこの発明の施工手順の概要を示したもので、仮排水路を設置する前のリフトの堤体コンクリート１２の打設時に仮排水路セル１の設置部（上下流方向）に沿ってそのセル底面の横巾より若干小さい間隔で左右一対をなす差し筋１３，１３をセル底面の縦巾より若干小さい間隔で順次一連に立てておき、この差し筋１３にそれぞれ支脚鋼材１４を溶接固定する。
【００２１】
左右一対の支脚鋼材１４，１４の上端間に水平受け鋼材１５を溶接により連結し、さらに隣接する支脚鋼材１４，１４間に筋交い状等の補強鉄筋１６を溶接固定し、この支脚鋼材１４と水平受け鋼材１５とからなる前後２組の門型の台枠により仮排水路セル１を載置支持する載置架台１７を構成し、これを仮排水路の設置部に沿って所要数連設する。
【００２２】
この載置架台１７の前後の水平受け鋼材１５，１５上に所要数のクレーンで吊り上げた仮排水路セル１，１を順次前後の接合端面を接して連続的に載置し、据付けの平面位置出しおよび鉛直位置出しを行いながら前後に接合し（図１，図３参照）、水平受け鋼材１５の端部に溶接したズレ止め金具１８により各セル１の側面を係止し、前後に接合した仮排水路セル１，１同士を相互に対接した継手部２，２同士をボルト又はコッター等の締結金具１９により締結する。
【００２３】
この締結の際に図１９〜図２１に示すように、仮排水路セル１，１相互の接合端面間にゴム等の弾性板からなる止水板２０を介在させ、さらに接合部の内面に合板や鋼板からなる保護板２１をアンカーボルト２２等により取付ける。
【００２４】
また、各仮排水路セル１の排出口７に排出管６を接続すると共に、供給口１０，１０’に供給管９，９’を接続し、これらの管を仮排水路埋立用グラウト圧送設備に配管する。
【００２５】
なお、仮排水路の全長にわたってプレキャスト部材を用いて施工すると車両の通行が遮断されるため、図１５に示すように上下流方向の全長の内で数カ所に仮排水路セル１を設置しない不連続横断箇所を設け、後日この部分は在来工法により型枠２３を組立ててその周囲に構造鉄筋２４を配筋して施工してもよい。
【００２６】
このようにして接合一体化された所要数の仮排水路セル１の底面部周辺を残して所定高さに堤体コンクリートを打設した後、仮排水路セル１の底面周辺部分に締め固め不要で流動性に優れた高流動コンクリート等、空隙に確実に流動して密実に充填可能な流動性固結材２５を打設して仮排水路セル１の底面下方の空隙に流動させて充填し、その後上層に順次堤体コンクリートを打設してこれに仮排水路セル１を埋設することにより、外周面に打ち継ぎ面処理をした仮排水路セル１と堤体コンクリートとが確実に一体化した仮排水路が構築される。
【００２７】
なお、流動性固結材２５を打設する際には、接合した仮排水路セル１群の底部の所要位置に止め板２６を設けて流動性固結材２５の流動を所定区間で止め、堤体コンクリートの打継に対して調整を図る。
【００２８】
このように構築した提内仮排水路は、堤体完成までに生じた越流水を流下させる機能を持っているため、内部を流れる越流水から仮排水路セル１の内面に表出する排出溝４、排出ボックス５および吐出口１１，１１’を密閉して保護する必要があり、そのために排出溝４内には木材等の詰物２７を装填し、その下方に鋼板等の保護板２８を当てがって釘あるいはボルト等で取付け、また吐出口１１，１１’にはその前面周囲に同様の保護板２９を当てがって釘あるいはボルト等で取付ける。
【００２９】
堤体完成後、仮排水路内を埋立グラウトＧで埋め立てる際には、仮排水路セル１内の保護板２８，２９および詰物２７を取り外し、この状態で埋立グラウト圧送設備によりコンクリート等の埋立グラウトＧを供給管９，９’を介して導入路８，８’に圧送し、吐出口１１，１１’から仮排水路セル１群内に順次吐出させて充填する。
【００３０】
このとき、内部のエアーや仮排水路セル１の天端部に達した埋立グラウトＧの上部に溜まった水を、排出溝４および排出ボックス５に導入して排出管６から確実に排出することができる。
【００３１】
【発明の効果】
以上の通りこの発明によれば、型枠および支保工の組立、埋立グラウト用の配管作業およびコンクリート打設後の解体および撤去、型枠部材の移動運搬等の作業が不要となり、作業の安全を確保できると共に、構築の手間が少なくて労力も軽減でき、さらに高度な専門技能員も必要としないため、工期を短縮して工費を軽減することが可能となる。
【００３２】
仮排水路セルは、プレキャスト部材として厳正な品質管理の実施されている工場で製造されるため、高品質で品質のばらつきが少ないものが得られ、施工管理が容易である。
【００３３】
仮排水路セルの底版下に高流動コンクリートを打設するため、底版下に密実に打設でき、仮排水路セルとの付着一体性を確保できる。
【００３４】
仮排水路セルに必要な鉄筋を組み込んでいるため、仮排水路セルと打設堤体コンクリートを継ぐための鉄筋の突出がなくなる。
【００３５】
また堤体完成後、仮排水路内を埋立グラウトで埋め立てる際には、埋立グラウト圧送ポンプ設備により埋立グラウトを供給管を介して導入路に圧送し、吐出口から仮排水路セル群内に順次吐出させて充填することができる。
【００３６】
この埋立グラウトＧの充填の際、内部のエアーや仮排水路セル１の天端部に達した埋立グラウトＧの上部に溜まった水を、排出溝４および排出ボックス５に導入して排出管６から確実に排出することができる。
【図面の簡単な説明】
【図１】この発明の施工状態を示す部分側面図。
【図２】この発明の仮排水路セルの据え付け状態を示す正面図。
【図３】この発明の仮排水路セルの配管状態を示す縦断側面図。
【図４】この発明の仮排水路セルの配管状態を示す縦断正面図。
【図５】この発明に用いる仮排水路セルの一態様を示す斜視図。
【図６】この発明に用いる仮排水路セルの一態様を示す正面図。
【図７】この発明に用いる仮排水路セルの他の態様を示す斜視図。
【図８】この発明に用いる仮排水路セルの他の態様を示す正面図。
【図９】この発明の施工手順の一態様を示す正面図。
【図１０】この発明の施工手順の他の態様を示す正面図。
【図１１】この発明の施工手順の他の態様を示す正面図。
【図１２】この発明の施工手順の他の態様を示す正面図。
【図１３】この発明の施工手順の他の態様を示す正面図。
【図１４】この発明の施工手順の他の態様を示す正面図。
【図１５】この発明の施工手順の他の態様を示す正面図。
【図１６】この発明の施工手順の他の態様を示す正面図。
【図１７】この発明に用いる仮排水路セルの天端部の一態様を示す縦断正面図。
【図１８】この発明に用いる仮排水路セルの側面部の一態様を示す縦断正面図。
【図１９】この発明の仮排水路セルの接合前の状態を示す縦断側面図。
【図２０】この発明の仮排水路セルの接合状態を示す縦断側面図。
【図２１】この発明の仮排水路セルの埋立状態を示す縦断側面図。
【符号の説明】
１  仮排水路セル
２  継手部
３  リブ
４  排出溝
５  排出ボックス
６  排出管
７  排出口
８  導入路
８’  導入路
９  供給管
９’  供給管
１０  供給口
１０’  供給口
１１  吐出口
１１’  吐出口
１２  堤体コンクリート
１３  差し筋
１４  支脚鋼材
１５  水平受け鋼材
１６  補強鉄筋
１７  載置架台
１８  ズレ止め金具
１９  締結金具
２０  止水板
２１  保護板
２２  アンカーボルト
２３  型枠
２４  構造鉄筋
２５  流動性固結材
２６  止め板
２７  詰物
２８  保護板
２９  保護板
Ｇ  埋立グラウト
【図１】
0003690863.tif 000002
【図２】
0003690863.tif 000003
【図３】
0003690863.tif 000004
【図４】
0003690863.tif 000005
【図５】
0003690863.tif 000006
【図６】
0003690863.tif 000007
【図７】
0003690863.tif 000008
【図８】
0003690863.tif 000009
【図９】
0003690863.tif 000010
【図１０】
0003690863.tif 000011
【図１１】
0003690863.tif 000012
【図１２】
0003690863.tif 000013
【図１３】
0003690863.tif 000014
【図１４】
0003690863.tif 000015
【図１５】
0003690863.tif 000016
【図１６】
0003690863.tif 000017
【図１７】
0003690863.tif 000018
【図１８】
0003690863.tif 000019
【図１９】
0003690863.tif 000020
【図２０】
0003690863.tif 000021
【図２１】
0003690863.tif 000022